(57)【要約】【課題】簡素な構成で電気光学パネルの熱を効率よく逃がすことのできる電気光学モジュール、および該電気光学モジュールを備えた投射型表示装置を提供すること。【解決手段】電気光学モジュール１０では、電気光学パネル４０の第１基板５１の第２面５１ｂに第１透光板５６が設けられている。第１透光板５６は、第１基板５１よりサイズが小さく、第１基板５１は、第１透光板５６からの張出面５５を有している。かかる電気光学パネル４０および第１透光板５６を内側に収容する金属製のフレーム６０には、第１基板５１の張出面５５、および第１透光板５６の側面５１１、５１２、５１３、５１４に沿って屈曲した角部６１０、６２０、６３０、６４０が設けられている。【選択図】図７
2015106009.tif 000002
【特許請求の範囲】
【請求項１】
第１基板、該第１基板に対向配置された第２基板、および前記第１基板と前記第２基板との間に設けられた電気光学物質層を備えた電気光学パネルと、
前記電気光学パネルの少なくとも画像表示領域に前記第１基板の前記第２基板とは反対側で重なる第１透光板と、
前記画像表示領域に前記第２基板の前記第１基板とは反対側の面で重なる第２透光板と、
前記第１透光板の側面および前記第１基板の前記第１透光板からの張出面に沿って屈曲した角部を具備して前記第１透光板および前記電気光学パネルを収容するフレームと、
を有し、
前記第１基板は、前記第２基板の端部から張り出してフレキシブル配線基板が接続された張出部を備え、
前記第１基板の前記張出面のうち、前記張出部側の第１張出面は、前記第１透光板を挟んで前記第１張出面とは反対側に位置する第２張出面より前記フレームとの重なり幅が大きく、前記第２張出面は、前記第１張出面と前記第２張出面との間に位置する第３張出面より前記フレームとの重なり幅が大きいことを特徴とする電気光学モジュール。
【請求項２】
前記第１透光板は、前記第１基板よりサイズが小さく、
前記張出面および前記角部は、前記第１透光板を全周で囲むように形成されていることを特徴とする請求項１に記載の電気光学モジュール。
【請求項３】
前記フレームは、前記第１透光板の前記第１基板とは反対側の面に重なる見切り用の板状遮光部を備えていることを特徴とする請求項１または２に記載の電気光学モジュール。
【請求項４】
前記第１透光板の前記電気光学パネル側の面に見切り用の遮光層が設けられ、
前記第１基板に対して前記第１透光板が位置する側では、前記フレームの端部と、前記第１透光板の前記第１基板とは反対側の面とは同一の平面内に位置していることを特徴とする請求項１または２に記載の電気光学モジュール。
【請求項５】
前記第１基板の前記張出面と前記フレームとの間には接着剤が介在していることを特徴とする請求項１乃至４の何れか一項に記載の電気光学モジュール。
【請求項６】
前記第２透光板の前記電気光学パネルとは反対側の面に重なって前記フレームと結合された見切り用の遮光板を備えていることを特徴とする請求項１乃至５の何れか一項に記載の電気光学モジュール。
【請求項７】
前記第２透光板の前記電気光学パネル側の面に見切り用の遮光層が設けられ、
前記第２基板に対して前記第２透光板が位置する側では、前記フレームの端部と、前記第２透光板の前記第２基板とは反対側の面とは同一の平面内に位置していることを特徴とする請求項１乃至５の何れか一項に記載の電気光学モジュール。
【請求項８】
前記第１基板は、画素電極および該画素電極に対応して設けられたスイッチング素子を備えた素子基板であることを特徴とする請求項１乃至７の何れか一項に記載の電気光学モジュール。
【請求項９】
前記電気光学パネルは、前記電気光学物質層としての液晶層を備えた液晶パネルであることを特徴とする請求項８に記載の電気光学モジュール。
【請求項１０】
請求項１乃至９の何れか一項に記載の電気光学モジュールを備えた電子機器であって、
前記電気光学モジュールに供給される光を出射する光源部と、
前記電気光学モジュールによって変調された光を投射する投射光学系と、
を有していることを特徴とする投射型表示装置。
【請求項１１】
前記電気光学モジュールに冷却気体を供給する冷却装置を有していることを特徴とする請求項１０に記載の投射型表示装置。
【発明の詳細な説明】
【技術分野】
【０００１】
本発明は、投射型表示装置等の電子機器に用いられる電気光学モジュール、および該電気光学モジュールを備えた投射型表示装置に関するものである。
【背景技術】
【０００２】
投射型表示装置等の電子機器において画像を表示する際には、液晶パネル等の電気光学パネルによって変調した光を利用する。かかる電気光学パネルは、例えば、第１基板と第２基板との間に液晶層等の電気光学物質層が設けられた構成を有しており、第１基板および第２基板の外面側には防塵等の目的で第１透光板および第２透光板が貼付されている。
【０００３】
このような構成の電気光学パネルでは、電気光学パネル自身での発熱や光源光の入射に起因する発熱によって、電気光学パネルが温度上昇すると、電気光学物質層の劣化等が発生する。そこで、電気光学パネルを電気光学モジュールとして電子機器に搭載する際、電気光学パネルを金属製の第１枠体の内側に収容するとともに、第１枠体に係合する金属製の第２枠体によって、電気光学パネルの第１透光板からの張出面および第１透光板の側面に重なるように配置された金属製の第３枠体を第１枠体と一体化し、電気光学パネルの熱を、これらの枠体を介して逃がす構造が提案されている（特許文献１参照）。
【先行技術文献】
【特許文献】
【０００４】
【特許文献１】特開２００４−２７９７００号公報の図５〜図１１
【発明の概要】
【発明が解決しようとする課題】
【０００５】
しかしながら、特許文献１に記載の構成のように、電気光学パネルで出射側を保持するのに３つの枠体を用いるという複雑な構成では、部品点数が多いとともに、組み立てに手間がかかるため、コストが嵩むという問題点がある。
【０００６】
以上の問題点に鑑みて、本発明の課題は、簡素な構成で電気光学パネルの熱を効率よく逃がすことのできる電気光学モジュール、および該電気光学モジュールを備えた投射型表示装置を提供することにある。
【課題を解決するための手段】
【０００７】
上記課題を解決するために、本発明に係る電気光学モジュールは、第１基板、該第１基板に対向配置された第２基板、および前記第１基板と前記第２基板との間に設けられた電気光学物質層を備えた電気光学パネルと、前記電気光学パネルの少なくとも画像表示領域に前記第１基板の前記第２基板とは反対側で重なる第１透光板と、前記画像表示領域に前記第２基板の前記第１基板とは反対側の面で重なる第２透光板と、前記第１透光板の側面および前記第１基板の前記第１透光板からの張出面に沿って屈曲した角部を具備して前記第１透光板および前記電気光学パネルを収容するフレームと、を有し、前記第１基板は、前記第２基板の端部から張り出してフレキシブル配線基板が接続された張出部を備え、前記第１基板の前記張出面のうち、前記張出部側の第１張出面は、前記第１透光板を挟んで前記第１張出面とは反対側に位置する第２張出面より前記フレームとの重なり幅が大きく、前記第２張出面は、前記第１張出面と前記第２張出面との間に位置する第３張出面より前記フレームとの重なり幅が大きいことを特徴とする。
【０００８】
本発明では、画像表示領域に重なるように第１透光板および第２透光板が設けられているため、電気光学物質層に近い位置に塵が付着することがない。従って、電気光学パネルで生成した画像を投射した場合でも、塵の影響が画像に及びにくい。ここで、電気光学パネルはフレームの内側に収容されているとともに、かかるフレームには、第１透光板の側面および第１基板の第１透光板からの張出面に沿って屈曲した角部が形成されている。このため、電気光学パネルで発生した熱を、第１基板および第１透光板からフレームに効率よく逃がすことができるので、電気光学パネルの温度上昇に起因する電気光学物質層の劣化を抑制することができる。また、第１透光板および電気光学パネルを１つのフレームの内側に収容しているとともに、壁部に形成した角部によって、第１透光板および電気光学パネルの位置決めを行うことができる。それ故、本発明によれば、簡素な構成で電気光学パネルの熱を効率よく逃がすことができるとともに、組み立て工程の高効率化を図ることができる。また、フレキシブル配線基板が接続された張出部が位置する側は空気層で囲まれているため、放熱されにくく、電気光学モジュールに冷却気体を供給する場合でも、フレキシブル配線基板が接続された張出部が位置する側は風下とされるため、冷却効果が小さい。しかるに本発明では、張出部が位置する側の第１張出面とフレームとの重なり幅を大にして、張出部が位置する側の放熱性を高めているので、張出部が位置する側についても温度上昇を低く抑えることができる。また、電気光学モジュールに冷却気体を供給する場合、フレキシブル配線基板が接続された張出部が位置する側とは反対側が風上とされるので、かかる風上側での第１基板の第２張出面とフレームとの重なり幅を、第１張出面と第２張出面との間に位置する第３張出面とフレームとの重なり幅より大にしたため、放熱効率が高い。従って、電気光学パネル全体からみれば十分な放熱性を確保することができる。それ故、第３張出面とフレームとの重なり幅を狭くできる分、電気光学モジュールの幅寸法を縮小することができる。
【０００９】
本発明において、前記第１透光板は、前記第１基板よりサイズが小さく、前記張出面および前記角部は、前記第１透光板を全周で囲むように形成されている構成を採用することができる。
【００１０】
本発明において、前記フレームは、前記第１透光板の前記第１基板とは反対側の面に重なる見切り用の板状遮光部を備えていることが好ましい。かかる構成によれば、第１透光板の側に遮光板を配置する必要がない。
【００１１】
本発明において、前記第１透光板の前記電気光学パネル側の面に見切り用の遮光層が設けられ、前記第１基板に対して前記第１透光板が位置する側では、前記フレームの端部と、前記第１透光板の前記第１基板とは反対側の面とは同一の平面内に位置していることが好ましい。かかる構成によれば、第１透光板の側に遮光板を配置する必要がない。このため、第１透光板が位置する側では、フレームの端部と、第１透光板の第１基板が位置する側の面とは同一の平面内に位置しているので、電気光学モジュールに冷却気体を供給した際、第１透光板の表面で冷却気体がスムーズに流れる。それ故、冷却効果が高い。
【００１２】
本発明において、前記第１基板の前記張出面と前記フレームとの間には接着剤が介在していることが好ましい。かかる構成によれば、第１基板とフレームとの間に空気層が介在している場合より第１基板からフレームへの放熱効果を高めることができる。
【００１３】
本発明において、前記第２透光板の前記電気光学パネルとは反対側の面に重なって前記フレームと結合された見切り用の遮光板を備えている構成を採用することができる。
【００１４】
本発明では、前記第２透光板の前記電気光学パネル側の面に見切り用の遮光層が設けられ、前記第２基板に対して前記第２透光板が位置する側では、前記フレームの端部と、前記第２透光板の前記第２基板とは反対側の面とは同一の平面内に位置している構成を採用することもある。かかる構成によれば、第２透光板の側に遮光板を配置する必要がない。このため、第２透光板が位置する側では、フレームの端部と、第２透光板の第２基板が位置する側の面とは同一の平面内に位置しているので、電気光学モジュールに冷却気体を供給した際、第２透光板の表面で冷却気体がスムーズに流れる。それ故、冷却効果が高い。
【００１５】
本発明において、前記第１基板は、画素電極および該画素電極に対応して設けられたスイッチング素子を備えた素子基板であることが好ましい。かかる構成を採用すれば、第１基板で発生した熱をフレームに効率よく逃がすことができる。
【００１６】
本発明において、前記電気光学パネルは、例えば、前記電気光学物質層としての液晶層を備えた液晶パネルである。
【００１７】
本発明は、電気光学モジュールが投射型表示装置に用いられる場合に適用すると効果的であり、かかる投射型表示装置は、前記電気光学モジュールに供給される光を出射する光源部と、前記電気光学モジュールによって変調された光を投射する投射光学系と、を有している。投射型表示装置の場合には、電気光学パネルに強い光源光が入射するが、本発明によれば、電気光学パネルの温度上昇を低く抑えることができる。
【００１８】
本発明に係る投射型表示装置は、前記電気光学モジュールに冷却気体を供給する冷却装置を有していることが好ましい。かかる構成によれば、電気光学モジュールの温度上昇を効率よく抑えることができる。
【図面の簡単な説明】
【００１９】
【図１】本発明を適用した電子機器の一例としての投射型表示装置の説明図である。
【図２】本発明を適用した投射型表示装置に用いた光学ユニットの構成を示す説明図である。
【図３】本発明を適用した投射型表示装置に用いた光学ユニットの詳細構成を示す説明図である。
【図４】本発明を適用した電気光学モジュールに用いた電気光学パネルの説明図である。
【図５】本発明の実施の形態１に係る電気光学モジュールを光出射側からみたときの斜視図である。
【図６】本発明の実施の形態１に係る電気光学モジュールの説明図である。
【図７】本発明の実施の形態１に係る電気光学モジュールの断面図である。
【図８】本発明の実施の形態１に係る電気光学モジュールを分解した様子を光出射側からみたときの分解斜視図である。
【図９】本発明の実施の形態１の変形例に係る電気光学モジュールの断面図である。
【図１０】本発明の実施の形態２に係る電気光学モジュールの断面図である。
【図１１】本発明の実施の形態２の変形例１に係る電気光学モジュールの断面図である。
【図１２】本発明の実施の形態３に係る電気光学モジュールの断面図である。
【図１３】本発明の実施の形態４に係る電気光学モジュールの断面図である。
【図１４】本発明の実施の形態５に係る電気光学モジュールの断面図である。
【図１５】本発明の実施の形態６に係る電気光学モジュールの断面図である。
【発明を実施するための形態】
【００２０】
図面を参照して、本発明の実施の形態を説明する。なお、以下の説明では、本発明を適用した電子機器として、透過型の電気光学パネル（透過型の液晶パネル）を備えた電気光学モジュールをライトバルブとして用いた投射型表示装置を説明する。また、以下の説明で参照する図においては、各層や各部材を図面上で認識可能な程度の大きさとするため、各層や各部材毎に縮尺を異ならしめてある。
【００２１】
［実施の形態１］
（投射型表示装置（電子機器）の全体）
図１は、本発明を適用した電子機器の一例としての投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの構成を示す説明図である。
【００２２】
図１に示す投射型表示装置１において、外装ケース２、５の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には装置駆動制御用の制御基板１３が配置され、装置前端側の左右の角の各々にはスピーカー１４Ｒ、１４Ｌが配置されている。
【００２３】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、後述する電気光学パネル４０に対する冷却用ファン（冷却装置）として機能している。
【００２４】
図２において、光学ユニット９を構成する各光学素子（要素）は、色光合成手段を構成しているプリズムユニット２０を含めて、ＭｇやＡｌ等の金属からなる上ライトガイド２１または下ライトガイド２２により支持されている。上ライトガイド２１および下ライトガイド２２は、アッパーケース３およびロアーケース４に固定ねじにより固定されている。
【００２５】
（光学ユニット９の詳細構成）
図３は、本発明を適用した投射型表示装置に用いた光学ユニットの詳細構成を示す説明図である。図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の電気光学パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂに対応する電気光学パネル４０（Ｂ）に導くリレー光学系９２７を備えている。
【００２６】
照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直交する状態に配置されている。
【００２７】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００２８】
色光分離光学系９２４の赤色光束および緑色光束の出射部９４４、９４５の出射側には、それぞれ集光レンズ９５１、９５２が配置されている。従って、各出射部から出射した赤色光束および緑色光束は、これらの集光レンズ９５１、９５２に入射して平行化される。
【００２９】
平行化された赤色および緑色の光束Ｒ、Ｇは、偏光板１６０（Ｒ）、１６０（Ｇ）によって偏光方向が揃えられた後、電気光学パネル４０（Ｒ）、４０（Ｇ）に入射して変調され、各色光に対応した画像情報が付加される。すなわち、これらの電気光学パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００３０】
一方、青色光束Ｂは、リレー光学系９２７を介し、さらに、偏光板１６０（Ｂ）によって偏光方向が揃えられた後、対応する電気光学パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、電気光学パネル４０（Ｂ）の手前側に配置した集光レンズ９５３から構成される。各色光束の光路の長さ、すなわち、光源ランプ８０５から各液晶パネルまでの距離は、青色光束Ｂが最も長くなり、従って、この光束の光量損失が最も多くなる。しかし、リレー光学系９２７を介在させることにより、光量損失を抑制できる。
【００３１】
各電気光学パネル４０（Ｒ）、４０（Ｇ）、４０（Ｂ）を通って変調された各色光束は、偏光板１６１（Ｒ）、１６１（Ｇ）、１６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面１ｂ上に拡大投射される。
【００３２】
（電気光学パネル４０の構成）
図４は、本発明を適用した電気光学モジュールに用いた電気光学パネル４０の説明図であり、図４（ａ）、（ｂ）は各々、電気光学パネル４０を各構成要素と共に第２基板の側から見た平面図、およびそのＨ−Ｈ′断面図である。
【００３３】
なお、図４および後述する図５〜図８において、光源光の進行方向については矢印Ｌ１１で示し、電気光学パネル４０によって光源光を変調した後の表示光の進行方向については矢印Ｌ１２で示し、図１に示す吸気ファン１５Ｂ等によって電気光学パネル４０に供給される冷却空気（冷却気体）の流れについては矢印Ａで示してある。また、以下の説明では、電気光学パネル４０および電気光学モジュール１０の面内方向で互いに交差する方向の一方をＸ軸方向とし、他方をＹ軸方向とし、Ｘ軸方向およびＹ軸方向に交差する方向をＺ軸方向とする。また、以下に参照する図面では、Ｘ軸方向の一方側（フレキシブル配線基板４０ｉが設けられている側）をＸ１側とし、他方側をＸ２側とし、Ｙ軸方向の一方側をＹ１側とし、他方側をＹ２側とし、Ｚ軸方向の一方側（光源光が入射する側）をＺ１側とし、他方側（表示光が出射される側）をＺ２側として表してある。
【００３４】
図１〜図３を参照して説明した投射型表示装置１において、光学ユニット９に電気光学パネル４０（Ｒ）、４０（Ｇ）、４０（Ｂ）を搭載するにあたっては、電気光学パネル４０（Ｒ）、４０（Ｇ）、４０（Ｂ）を各々、後述する電気光学モジュール１０（Ｒ）、１０（Ｇ）、１０（Ｂ）として搭載する。電気光学パネル４０（Ｒ）、４０（Ｇ）、４０（Ｂ）は同一の構成を有しており、電気光学パネル４０（Ｒ）、４０（Ｇ）、４０（Ｂ）を備えた電気光学モジュール１０（Ｒ）、１０（Ｇ）、１０（Ｂ）も赤色用（Ｒ）、緑色用（Ｇ）、青色用（Ｂ）で同一の構成を有している。従って、以下の説明では、電気光学パネル４０（Ｒ）、４０（Ｇ）、４０（Ｂ）および電気光学モジュール１０（Ｒ）、１０（Ｇ）、１０（Ｂ）等については、対応する色を示す（Ｒ）（Ｇ）（Ｂ）を付さずに説明する。
【００３５】
図４に示すように、電気光学パネル４０では、透光性の第１基板５１（素子基板）と透光性の第２基板５２（対向基板）とが所定の隙間を介してシール材４０７によって貼り合わされている。第１基板５１および第２基板５２は石英や耐熱ガラス等が用いられており、本形態において、第１基板５１および第２基板５２には石英が用いられている。本形態において、電気光学パネル４０は液晶パネルであり、第１基板５１と第２基板５２との間においてシール材４０７によって囲まれた領域内に電気光学物質層４５０としての液晶層が保持されている。シール材４０７は、第２基板５２の外縁に沿うように枠状に設けられている。シール材４０７は、光硬化性を備えた接着剤、熱硬化性の接着剤、あるいは光硬化性および熱硬化性の双方を備えた接着剤であり、両基板間の距離を所定値とするためのグラスファイバー、あるいはガラスビーズ等のギャップ材が配合されている。
【００３６】
本形態において、第１基板５１は平面視で四角形であり、４つの辺からなる側面５１１、５１２、５１３、５１４を備えている。第２基板５２も、第１基板５１と同様、平面視で四角形であり、４つの辺からなる側面５２１、５２２、５２３、５２４を備えている。電気光学パネル４０の略中央には、変調光を出射する画像表示領域４０ａが平面視で四角形の領域として設けられている。かかる形状に対応して、シール材４０７も略四角形に設けられ、シール材４０７の内周縁と画像表示領域４０ａの外周縁との間には、四角枠状の周辺領域４０ｃが設けられている。
【００３７】
本形態において、第１基板５１は第２基板５２よりサイズが大きく、第１基板５１の４つの側面５１１、５１２、５１３、５１４は各々、第２基板５２の側面５２１、５２２、５２３、５２４より外側に張り出している。このため、第２基板５２の周りには、第１基板５１と第２基板５２の側面５２１、５２２、５２３、５２４とによって段部４０ｓ、４０ｔ、４０ｕ、４０ｖが形成され、かかる段部４０ｓ、４０ｔ、４０ｕ、４０ｖでは、第１基板５１が第２基板５２から張り出した状態にある。
【００３８】
第１基板５１の第１面５１ａおよび第２面５１ｂのうち、第２基板５２と対向する第１面５１ａには、画像表示領域４０ａに、透光性の画素電極４０５ａおよび画素電極４０５ａに対応する画素トランジスター（スイッチング素子／図示せず）を備えた画素がマトリクス状に形成されており、かかる画素電極４０５ａの上層側には配向膜４１６が形成されている。また、第１基板５１の第１面５１ａにおいて、周辺領域４０ｃには、画素電極４０５ａと同時形成されたダミー画素電極４０５ｂが形成されている。ダミー画素電極４０５ｂについては、ダミーの画素トランジスターと電気的に接続された構成、ダミーの画素トランジスターが設けられずに配線に直接、電気的に接続された構成、あるいは電位が印加されていないフロート状態にある構成が採用される。
【００３９】
また、第１基板５１において、Ｙ軸方向の一方側Ｙ１に位置する側面５１４は、他の側面５１１、５１２、５１３より第２基板５２の側面５２４から大きく張り出しており、かかる張出部５１５の第２基板５２側の面（第１面５１ａ）には、側面５１４に沿ってデータ線駆動回路４０１および複数の端子４０２が形成されている。また、第１基板５１には、側面５１１、５１２に沿って走査線駆動回路４０４が形成されている。端子４０２には、フレキシブル配線基板４０ｉが接続されており、第１基板５１には、フレキシブル配線基板４０ｉを介して各種電位や各種信号が入力される。なお、第１基板５１では、側面５１４とフレキシブル配線基板４０ｉとに跨るように補強用の接着剤４１が塗布されている。
【００４０】
第２基板５２の第１面５２ａおよび第２面５２ｂのうち、第１基板５１と対向する第１面５２ａには透光性の共通電極４２１が形成されており、共通電極４２１の上層には配向膜４２６が形成されている。共通電極４２１は、第２基板５２の略全面あるいは複数の帯状電極として複数の画素に跨って形成されており、本形態において、共通電極４２１は、第２基板５２の略全面に形成されている。また、第２基板５２の第１面５２ａには、共通電極４２１の下層側に遮光層４０８が形成されている。本形態において、遮光層４０８は、画像表示領域４０ａの外周縁に沿って延在する額縁状に形成されており、かかる遮光層４０８の内縁によって画像表示領域４０ａが規定されている。遮光層４０８の外周縁は、シール材４０７の内周縁との間に隙間を隔てた位置にあり、遮光層４０８とシール材４０７とは被さっていない。また、第２基板５２において、隣り合う画素電極４０５ａにより挟まれた領域と重なる領域等には、遮光層４０８と同時形成された遮光層がブラックマトリクスあるいはブラックストライプとして形成されることもある。
【００４１】
第１基板５１には、シール材４０７より外側において第２基板５２の角部分と重なる領域に、第１基板５１と第２基板５２との間で電気的導通をとるための基板間導通用電極４０９が形成されている。基板間導通用電極４０９と第２基板５２との間には、導電粒子を含んだ基板間導通材４０９ａが配置されており、第２基板５２の共通電極４２１は、基板間導通材４０９ａおよび基板間導通用電極４０９を介して、第１基板５１側に電気的に接続されている。このため、共通電極４２１は、第１基板５１の側から共通電位が印加されている。シール材４０７は、略同一の幅寸法をもって第２基板５２の外周縁に沿って設けられている。但し、シール材４０７は、第２基板５２の角部分と重なる領域では基板間導通用電極４０９を避けて内側を通るように設けられている。
【００４２】
かかる構成の電気光学パネル４０において、本形態では、画素電極４０５ａおよび共通電極４２１がＩＴＯ膜等の透光性導電膜により形成されているため、電気光学パネル４０は透過型の液晶パネルである。かかる透過型の液晶パネル（電気光学パネル４０）の場合、第１基板５１および第２基板５２のうち、一方側の基板から入射した光が他方側の基板を透過して出射される間に変調される。本形態では、第２基板５２から入射した光（矢印Ｌ１１で示す）が第１基板５１を透過して変調光（矢印Ｌ１２で示す）として出射される構成になっている。このため、第２基板５２はＺ軸方向の一方側Ｚ１に配置され、第１基板５１はＺ軸方向の他方側Ｚ２に配置されている。なお、共通電極４２１を透光性導電膜により形成し、画素電極４０５ａを反射性導電膜により形成すると、反射型の液晶パネルを構成することができる。反射型の液晶パネルの場合、第２基板５２の側から入射した光が第１基板５１の側で反射して出射される間に変調される。本形態の電気光学パネル４０は、前記した投射型表示装置（液晶プロジェクター）において、ライトバルブとして用いられるため、カラーフィルターは形成されない。但し、電気光学パネル４０を、モバイルコンピューター、携帯電話機等といった電子機器の直視型のカラー表示装置として用いる場合、第２基板５２には、カラーフィルターが形成される。
【００４３】
（電気光学モジュール１０の全体構成）
図５は、本発明の実施の形態１に係る電気光学モジュールを光出射側からみたときの斜視図である。図６は、本発明の実施の形態１に係る電気光学モジュールの説明図であり、図６（ａ）、（ｂ）、（ｃ）は、電気光学モジュールを光出射側からみたときの平面図、Ｘ軸方向の他方側Ｘ２からみた側面図、および光入射側からみたときの底面図である。図７は、本発明の実施の形態１に係る電気光学モジュールの断面図であり、図７（ａ）、（ｂ）は、電気光学モジュールのＹＺ断面図、およびＸＺ断面図である。図８は、本発明の実施の形態１に係る電気光学モジュールを分解した様子を光出射側からみたときの分解斜視図である。
【００４４】
図５〜図８に示すように、電気光学パネル４０を投射型表示装置１の光学ユニット９に搭載するには、補強等を目的に、電気光学パネル４０をフレーム６０により保持した電気光学モジュール１０とする。本形態の電気光学モジュール１０では、電気光学パネル４０およびフレーム６０に加えて、以下に説明する第１透光板５６、第２透光板５７、および入射側の遮光板８０が用いられている。以下、図７を中心に参照して、電気光学モジュール１０の詳細構成を説明する。
【００４５】
（第１透光板５６および第２透光板５７の構成）
図４（ｂ）および図７等に示すように、本形態では、電気光学パネル４０を用いて電気光学モジュール１０を構成するにあたって、第１基板５１の第２面５１ｂ（外面／第１基板５１の第２基板５２と反対側の面）には第１透光板５６（第１基板側透光板）が接着剤等により貼付され、第２基板５２の第２面５２ｂ（外面／第２基板５２の第１基板５１と反対側の面）には第２透光板５７（第２基板側透光板）が接着剤等により貼付されている。第１透光板５６および第２透光板５７は各々、防塵ガラスとして構成されており、塵等が第１基板５１の外面（第２面５１ｂ）および第２基板５２の外面（第２面５２ｂ）に付着するのを防止する。このため、電気光学パネル４０に塵が付着したとしても、塵は電気光学物質層４５０から離間している。従って、図１等を参照して説明した投射型表示装置１においては、塵がデフォーカス状態にあるため、投射された画像に塵が像として写し出されることを抑制することができる。第１透光板５６および第２透光板５７には石英や耐熱ガラス等が用いられている。本形態において、第１透光板５６および第２透光板５７には、第１基板５１および第２基板５２と同様、石英が用いられており、その厚さは１．１〜１．２ｍｍである。
【００４６】
ここで、第１透光板５６は、第１基板５１の第２面５１ｂの一部が張り出した状態で電気光学パネル４０の少なくとも画像表示領域４０ａに重なるように設けられている。より具体的には、第１透光板５６は、平面視で第１基板５１よりサイズが小さい四角形状であり、第１透光板５６の側面５６１、５６２、５６３、５６４は各々、平面視で、第１透光板５６の全周において第１基板５１の側面５１１、５１２、５１３、５１４より内側に位置している。このため、第１透光板５６の側面５６１、５６２、５６３、５６４は各々、平面視で第１基板５１の側面５１１、５１２、５１３、５１４と画像表示領域４０ａの端部との間に位置し、第１透光板５６の周りには、第１透光板５６の側面５６１、５６２、５６３、５６４と第１基板５１の第２面５１ｂとによって段部が構成されている。それ故、第１基板５１の第２面５１ｂには、第１透光板５６を全周で囲むように、第１透光板５６からの張出面５５が形成されている。かかる張出面５５のうち、側面５１４（張出部５１５）が位置する側の張出面５５を第１張出面５５ａとし、第１張出面５５ａに対して第１透光板５６を挟んだ反対側（側面５１３が位置する側）の張出面５５を第２張出面５５ｂとする。また、第１張出面５５ａと第２張出面５５ｂとの間に位置する張出面５５（側面５１１、５１２が位置する側の張出面５５）を第３張出面５５ｃ、５５ｄとする。
【００４７】
第２透光板５７は、第２基板５２の第２面５２ｂの一部が張り出した状態で電気光学パネル４０の少なくとも画像表示領域４０ａに重なるように設けられている。より具体的には、第２透光板５７は、平面視で第１透光板５６とサイズが略同一の四角形であり、第２基板５２よりはサイズが小さい。このため、第２透光板５７の側面５７１、５７２、５７３、５７４は各々、第２透光板５７の全周において第２基板５２の側面５２１、５２２、５２３、５２４より内側に位置し、第２基板５２の側面５２１、５２２、５２３、５２４と画像表示領域４０ａの端部との間に位置している。従って、第２透光板５７の周りには、第２透光板５７の側面５７１、５７２、５７３、５７４と第２基板５２の第２面５２ｂとによって段部が構成されている。また、第２基板５２の第２面５２ｂには、第２透光板５７を全周で囲むように、第２透光板５７からの張出面が形成されている。
【００４８】
（フレーム６０の構成）
本形態において、フレーム６０は、中央に矩形の開口部６８を備えた矩形枠状の樹脂製部材あるいは金属製部材であり、平面視で、第１透光板５６、電気光学パネル４０および第２透光板５７の周りを囲む４つの壁部６１、６２、６３、６４を含む壁部を備えている。壁部６１、６２、６３、６４において、隣り合う壁部同士の連結部（角部分）は、角柱状の連結部６５１、６５２、６５３、６５４になっている。フレーム６０は、第１基板５１、第２基板５２、第１透光板５６および第２透光板５７より熱伝導率が高い。例えば、フレーム６０は、樹脂製部材の表面に金属層を設けた成形品や、アルミニウム、銅、鉄等の金属製部材である。本形態において、フレーム６０は、アルミニウム等からなる金属製部材である。
【００４９】
フレーム６０において、壁部６１は、第１透光板５６の側面５６１、電気光学パネル４０の側面、および第２透光板５７の側面５７１に対向し、壁部６２は、第１透光板５６の側面５６２、電気光学パネル４０の側面、および第２透光板５７の側面５７２に対向し、壁部６３は、第１透光板５６の側面５６３、電気光学パネル４０の側面、および第２透光板５７の側面５７３に対向している。これに対して、壁部６４は、第１基板５１の張出部５１５に沿って延在する平板状に形成されている。従って、フレーム６０は、壁部６１、６２、６３によって第１透光板５６、電気光学パネル４０および第２透光板５７を内側に収容している。また、壁部６４は、第１基板５１の張出部５１５に沿って延在する平板状に形成されているため、フレキシブル配線基板４０ｉを電気光学パネル４０の面内方向に沿って延在するようにフレーム６０の外側に引き出すことができる。
【００５０】
４つの壁部６１、６２、６３、６４の内側面には、第１基板５１の第１透光板５６からの張出面５５、および第１透光板５６の側面５６１、５６２、５６３、５６４に沿って屈曲する出隅状の角部６１０、６２０、６３０、６４０が形成されている。このため、フレーム６０は、角部６１０、６２０、６３０、６４０によって、第１基板５１の第１透光板５６からの張出面５５、および第１透光板５６の側面５６１、５６２、５６３、５６４に対向している。また、壁部６１、６２、６３の内側面は、角部６１０、６２０、６３０を形成する部分が内側に張り出し、かかる張出部分からＺ軸方向の一方側Ｚ１に向けては直線状に延在している。このため、電気光学モジュール１０を組み立てる際、フレーム６０のＺ軸方向の一方側Ｚ１から、第１透光板５６側を先行させるようにして電気光学パネル４０をフレーム６０の内側に設けることができる。なお、壁部６３のＺ軸方向の一方側Ｚ１において、Ｙ軸方向の他方側Ｙ２の端部はテーパー面６３７になっており、矢印Ａで示すように、図１に示す吸気ファン１５Ｂ等によって電気光学モジュール１０に冷却空気を供給した際、電気光学モジュール１０のＺ軸方向の一方側Ｚ１に冷却空気が効率よく導かれる。また、電気光学モジュール１０に冷却空気を供給した際、冷却空気は、電気光学モジュール１０のＺ軸方向の他方側Ｚ２にも導かれる。
【００５１】
本形態において、張出面５５の幅寸法、および張出面５５とフレーム６０との重なり面積は、以下の関係
第３張出面５５ｃ、５５ｄ≒第２張出面５５ｂ＜第１張出面５５ａ
になっている。すなわち、第１基板５１において、フレキシブル配線基板４０ｉが接続された張出部５１５が位置する第１張出面５５ａの側では、第１透光板５６を挟んで第１張出面５５ａとは反対側に位置する第２張出面５５ｂよりフレーム６０との重なり幅が大である。
【００５２】
また、フレーム６０には、壁部６１、６２、６３、６４のＺ軸方向の他方側Ｚ２の端部から内側に板状遮光部６７が張り出しており、かかる板状遮光部６７は、第１透光板５６において電気光学パネル４０が位置する側とは反対側の面に重なっている。また、板状遮光部６７には、電気光学パネル４０の画像表示領域４０ａと重なる領域に開口部６７０が形成されており、板状遮光部６７は、電気光学パネル４０に対する出射側の見切り部として機能する。ここで、板状遮光部６７の厚さ寸法は、壁部６１、６２、６３、６４の厚さ寸法（Ｚ軸方向の寸法）に比してかなり小である。なお、フレーム６０において、Ｚ軸方向の他方側Ｚ２に向く面には塗装等により黒色化処理が施されている。
【００５３】
（入射側の遮光板８０の構成）
フレーム６０に対して光入射側（Ｚ軸方向の一方側Ｚ１）には、金属板あるいは樹脂板からなる板状の遮光板８０が重ねて配置されている。本形態において、遮光板８０は金属製である。遮光板８０は、フレーム６０に対して光入射側で重なる四角形の端板部８７を備えており、端板部８７には、電気光学パネル４０の画像表示領域４０ａに重なる開口部８８が形成されている。開口部８８は、フレーム６０の開口部６８に比して小さく、端板部８７は、開口部６８の全周において開口部６８の内側に張り出している。このため、遮光板８０の端板部８７は、電気光学パネル４０に光が入射する範囲を制限する見切り部として機能する。
【００５４】
遮光板８０は、端板部８７の外縁から延在する側板部８１、８２、８３、８４を備えている。これらの側板部８１、８２、８３、８４のうち、Ｘ軸方向の両側に位置する側板部８１、８２は、壁部６１、６２の外側面に重なるように端板部８７の端部からＺ軸方向の他方側Ｚ２に向けて略直角に屈曲している。本形態において、側板部８１、８２は、Ｙ軸方向で離間する２個所に設けられており、かかる２枚の側板部８１、８２の各々に係合穴８１０、８２０が形成されている。一方、フレーム６０の壁部６１、６２の外側面には、係合穴８１０、８２０の各々に嵌る突部６１７、６２７が形成されている。従って、遮光板８０は、フレーム６０を両側から挟むように設けられた側板部８１、８２がフレーム６０の外側面に係合することによってフレーム６０に結合され、フレーム６０と一体化している。この状態で、フレーム６０の内側には、遮光板８０の端板部８７を底部とするパネル収容部が構成され、かかるパネル収容部に、第１透光板５６および第２透光板５７が貼付された電気光学パネル４０が収容される。ここで、壁部６１、６２の外側面には、突部６１７、６２７の側方に突部６１９、６２９が形成されており、かかる突部６１９、６２９は、側板部８１、８２の位置決め用である。
【００５５】
なお、本形態では、第２透光板５７において端板部８７と重なる領域に遮光層５７９を設け、かかる遮光層５７９および遮光板８０によって、入射側の見切りを行っている。本形態において、遮光層５７９は、第２透光板５７の側からクロム層（金属層／光反射層）および酸化クロム層（金属化合物層／光吸収層）が積層されてなる。
【００５６】
（接着剤による固定構造）
このように構成した電気光学モジュール１０において、フレーム６０の内側には、第１透光板５６、電気光学パネル４０および第２透光板５７との間に隙間が形成されており、かかる隙間内には接着剤Ｐが設けられている。このため、第１透光板５６とフレーム６０との間、電気光学パネル４０とフレーム６０との間、および第２透光板５７とフレーム６０との間には接着剤Ｐが介在しており、空気層が介在していない。
【００５７】
ここで、接着剤Ｐについては、全体が同一種類の接着剤である構成を採用することができる他、第１透光板５６の側面５６１〜５６４とフレーム６０との間や第１基板５１の張出面５５とフレーム６０との間に介在する接着剤Ｐと、他の部分に位置する接着剤Ｐとで種類が異なる構成を採用してもよい。この場合、第１透光板５６の側面５６１〜５６４とフレーム６０との間や第１基板５１の張出面５５とフレーム６０との間に介在する接着剤Ｐについては、例えば、他の部分に位置する接着剤Ｐより、熱伝導率が高く、接着強度が小さい種類のものを用いる。すなわち、第１透光板５６の側面５６１〜５６４とフレーム６０との間や第１基板５１の張出面５５とフレーム６０との間に介在する接着剤Ｐについては、熱伝導率が高いことを優先して種類を選択し、他の部分に位置する接着剤Ｐについては、接着強度が大きいことを優先して種類を選択すればよい。かかる構成によれば、電気光学パネル４０で発生した熱を、第１基板５１を介してフレーム６０に効率よく逃がすことができる。
【００５８】
（電気光学モジュール１０の製造方法）
図５〜図８を参照して説明した電気光学モジュール１０の製造工程では、まず、電気光学パネル４０の両面に第１透光板５６の全面、および第２透光板５７の全面を接着剤により貼付する。
【００５９】
次に、フレーム６０のＺ軸方向の一方側Ｚ１から、第１透光板５６側を先行させるようにして電気光学パネル４０をフレーム６０の内側に設ける。その結果、第１透光板５６の外周部分は板状遮光部６７に当接し、第１基板５１の張出面５５は、フレーム６０の角部６１０、６２０、６３０、６４０に当接し、第１透光板５６および電気光学パネル４０のＺ軸方向の位置決めが行われる。また、第１透光板５６の側面５６１、５６２、５６３、５６４が角部６１０、６２０、６３０、６４０に当接し、第１透光板５６および電気光学パネル４０のＸ軸方向およびＹ軸方向の位置決めが行われる。その際、予め、フレーム６０の角部６１０、６２０、６３０、６４０付近に接着剤Ｐを塗布しておく。
【００６０】
そして、フレーム６０の内側に第１透光板５６、電気光学パネル４０および第２透光板５７を収容した後、第２透光板５７とフレーム６０との間から接着剤Ｐを充填する。
【００６１】
しかる後に、遮光板８０をフレーム６０と結合させ、この状態で、接着剤Ｐを硬化させる。なお、フレーム６０と電気光学パネル４０との固定については、フレーム６０の内側に電気光学パネル４０等を収容する前に塗布した接着剤Ｐのみを利用してもよい。
【００６２】
（本形態の主な効果）
以上説明したように、本形態の電気光学モジュール１０では、第１基板５１の第２面５１ｂ（第２基板５２とは反対側の面）および第２基板５２の第２面５２ｂ（第１基板５１とは反対側の面）には、画像表示領域４０ａに重なるように第１透光板５６および第２透光板５７が設けられているため、電気光学物質層４５０（液晶層）に近い位置に塵が付着することがない。従って、電気光学パネル４０で生成した画像を投射した場合でも、塵の影響が画像に及びにくい。
【００６３】
また、第１透光板５６は、第１基板５１の第２面５１ｂの一部が張り出すように設けられており、第１基板５１の第１透光板５６からの張出面５５、および第１透光板５６の側面５６１、５６２、５６３、５６４にはフレーム６０の角部６１０、６２０、６３０、６４０が対向している。また、フレーム６０は、第１基板５１および第２基板５２より熱伝導率が高い。このため、電気光学パネル４０で発生した熱を、第１基板５１および第１透光板５６からフレーム６０に効率よく逃がすことができる。それ故、電気光学パネル４０の温度上昇に起因する電気光学物質層４５０の劣化を抑制することができる。
【００６４】
また、放熱性を高めた状態で電気光学パネル４０等を収容するにあたって、１つのフレーム６０を用いているため、部品点数が少なく、かつ、組み立て工数も少なくてよい。それ故、電気光学モジュール１０のコストを低減することができる。
【００６５】
また、第１基板５１の第１透光板５６からの張出面５５とフレーム６０の間、および第１基板５１の側面５１１、５１２、５１３とフレーム６０との間には接着剤Ｐが介在し、空気層が介在しない。さらに、第１透光板５６とフレーム６０との間、電気光学パネル４０とフレーム６０との間、および第２透光板５７とフレーム６０との間の全てに接着剤Ｐが介在しており、空気層が介在していない。それ故、電気光学パネル４０で発生した熱を、第１基板５１からフレーム６０に効率よく逃がすことができる。
【００６６】
また、第１透光板５６は、第１基板５１よりサイズが小さく、第１透光板５６を全周で囲むように、第１基板５１の張出面５５およびフレーム６０の角部６１０、６２０、６３０、６４０が設けられている。このため、第１基板５１の張出面５５とフレーム６０との重なり面積が広いので、電気光学パネル４０で発生した熱を、第１基板５１からフレーム６０に効率よく逃がすことができる。
【００６７】
また、第１基板５１において、フレキシブル配線基板４０ｉが接続された張出部５１５が位置する側は空気層で囲まれているため、放熱されにくい。また、電気光学モジュール１０に冷却空気（矢印Ａで示す）を供給した際、フレキシブル配線基板４０ｉが接続された張出部５１５が位置する側は風下とされるため、冷却効果が小さい。しかるに本形態では、第１基板５１において、張出部５１５が位置する第１張出面５５ａの側では、第１透光板５６を挟んで第１張出面５５ａとは反対側に位置する第２張出面５５ｂよりフレーム６０との重なり幅が大であり、放熱性が高い。それ故、本形態によれば、張出部５１５が位置する側についても効率よく放熱できるので、温度上昇を低く抑えることができる。
【００６８】
さらに、フレーム６０は、第１基板５１および第２基板５２のうち、画素電極およびスイッチング素子を備えた素子基板である第１基板５１の張出部分に重なっている。このため、電気光学パネル４０を光が透過する際、第２基板５２よりも第１基板５１での発熱が大きいが、本形態では、フレーム６０は、発熱が大きい素子基板（第１基板５１）の張出面５５に重なっているので、電気光学パネル４０で発生した熱を効率よく逃がすことができる。
【００６９】
また、本形態では、フレーム６０に板状遮光部６７を設けたので、第１透光板５６側に遮光板を配置する必要がない。また、板状遮光部６７の厚さ寸法は、壁部６１、６２、６３、６４の厚さ寸法（Ｚ軸方向の寸法）に比してかなり小である。このため、矢印Ａで示すように、図１に示す吸気ファン１５Ｂ等によって電気光学モジュール１０のＺ軸方向の他方側Ｚ２の面に沿って冷却空気の流れを形成した際、冷却空気は、板状遮光部６７の開口部６７０内にスムーズに入り込んでＹ軸方向の他方側Ｙ２から一方側Ｙ１に流れる。このため、電気光学パネル４０で発生した熱を、第１透光板５６を介して冷却空気に逃がすことができる。
【００７０】
［実施の形態１の変形例］
図９は、本発明の実施の形態１の変形例に係る電気光学モジュール１０の断面図であり、図９（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【００７１】
図９に示すように、本形態の電気光学モジュール１０でも、実施の形態１と同様、第１基板５１の第１透光板５６からの張出面５５、および第１透光板５６の側面５６１、５６２、５６３、５６４にはフレーム６０の角部６１０、６２０、６３０、６４０が対向している。
【００７２】
本形態では、実施の形態１と違って、第１透光板５６の電気光学パネル４０側の面に見切り用の遮光層５６９が形成されており、フレーム６０には、図７を参照して説明した板状遮光部６７が形成されていない。このため、第１透光板５６が位置するＺ軸方向の他方側Ｚ２では、フレーム６０の端部６０ｓと、第１透光板５６の第１基板５１とは反対側の面とは同一の平面内に位置している。ここで、遮光層５６９は、第１透光板５６の側から酸化クロム層（金属化合物層／光吸収層）およびクロム層（金属層／光反射層）が積層されてなる。その他の構成は、実施の形態１と同様である。
【００７３】
かかる構成によれば、第１透光板５６のＺ軸方向の他方側Ｚ２には、板状遮光部６７に起因する段差がない。従って、矢印Ａで示すように、図１に示す吸気ファン１５Ｂ等によって電気光学モジュール１０のＺ軸方向の他方側Ｚ２の面に沿って冷却空気の流れを形成した際、冷却空気は、第１透光板５６のＺ軸方向の他方側Ｚ２の面に沿ってＹ軸方向の他方側Ｙ２から一方側Ｙ１にスムーズに流れる。それ故、電気光学パネル４０で発生した熱を、第１透光板５６およびフレーム６０を介して冷却空気に逃がすことができる。
【００７４】
［実施の形態２］
図１０は、本発明の実施の形態２に係る電気光学モジュール１０の断面図であり、図１０（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【００７５】
図１０に示すように、本形態の電気光学モジュール１０でも、実施の形態１と同様、第１基板５１の第１透光板５６からの張出面５５、および第１透光板５６の側面５６１、５６２、５６３、５６４にはフレーム６０の角部６１０、６２０、６３０、６４０が対向し、それらの間には接着剤Ｐが介在している。
【００７６】
本形態では、第２透光板５７は、第２基板５２から一部が張り出すように第２基板５２の第２面５２ｂに貼付されている。より具体的には、第２透光板５７は、平面視で第２基板５２よりサイズが大きな四角形状であり、第２基板５２の側面５２１、５２２、５２３、５２４は各々、平面視で、全周において第２透光板５７の側面５７１、５７２、５７３、５７４より内側に位置している。このため、第２基板５２の側面５２１、５２２、５２３、５２４は各々、平面視で、第２透光板５７の側面５７１、５７２、５７３、５７４と画像表示領域４０ａとの間に位置し、第２透光板５７の周りには、第２基板５２の側面５２１、５２２、５２３、５２４と第２透光板５７とによって段部が構成されている。また、第２透光板５７の第２基板５２側の面には、第２基板５２を全周で囲むように、第２基板５２からの張出面５７０が形成されている。
【００７７】
また、第２透光板５７の第２基板５２側の面には、平面視で画像表示領域４０ａと重ならずに第２基板５２と重なる領域、および張出面５７０に遮光層５７９が連続して一体に形成されている。このため、遮光層５７９は、第２基板５２の外縁から内側かつ電気光学パネル４０の画像表示領域４０ａの外側に形成された第１部分と、第２基板５２の外縁から張出面５７０に延設された第２部分５７９ｂとを含んでいる。ここで、遮光層５７９は、第２透光板５７の第２基板５２側の面の縁まで形成されている。遮光層５７９は、例えば、第２透光板５７の側からクロム層（金属層／光反射層）および酸化クロム層（金属化合物層／光吸収層）が積層されてなり、反射性を有している。このため、遮光層５７９は、第２透光板５７より熱伝導率が高い。
【００７８】
かかる構成に対応して、フレーム６０の壁部６１、６２、６３には、第２透光板５７の側面５７１、５７２、５７３、および第２透光板５７の第２基板５２からの張出面５７０に沿って屈曲する入隅状の角部６１８、６２８、６３８が形成されている。このため、フレーム６０は、角部６１８、６２８、６３８、６４８によって、第２透光板５７の側面５７１、５７２、５７３、および第２透光板５７の第２基板５２からの張出面５７０に形成された遮光層５７９に対向している。また、フレーム６０と第２透光板５７の側面５７１、５７２、５７３、５７４との間、およびフレーム６０と第２透光板５７の張出面５７０に形成された遮光層５７９との間には接着剤Ｐが介在しており、空気層が介在していない。その他の構成は、実施の形態１と同様である。
【００７９】
かかる構成によれば、電気光学パネル４０で発生した熱を、第１基板５１および第１透光板５６からフレーム６０に効率よく逃がすことができるとともに、第２透光板５７からフレーム６０に効率よく逃がすことができる。また、遮光層５７９は、第２透光板５７より熱伝導率が高いので、電気光学パネル４０の熱を、遮光層５７９を介してフレーム６０に逃がすことができる。また、光の吸収によって発生した遮光層５７９の熱を、遮光層５７９を介してフレーム６０に逃がすことができる。
【００８０】
［実施の形態２の変形例１］
図１１は、本発明の実施の形態２の変形例１に係る電気光学モジュール１０の断面図であり、図１１（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【００８１】
図１１に示すように、本形態の電気光学モジュール１０でも、実施の形態１と同様、第１基板５１の第１透光板５６からの張出面５５、および第１透光板５６の側面５６１、５６２、５６３、５６４にはフレーム６０の角部６１０、６２０、６３０、６４０が対向している。また、実施の形態２と同様、第２透光板５７の側面５７１、５７２、５７３、および第２透光板５７の第２基板５２からの張出面５７０には、フレーム６０の角部６１８、６２８、６３８が対向している。
【００８２】
本形態では、第２透光板５７の電気光学パネル４０側の面に見切り用の遮光層５７９が形成されており、実施の形態２と違って、遮光板８０が用いられていない。このため、第２透光板５７が位置するＺ軸方向の一方側Ｚ１では、フレーム６０の端部６０ｔと、第２透光板５７の第２基板５２とは反対側の面とは同一の平面内に位置している。その他の構成は、実施の形態２と同様である。
【００８３】
かかる構成によれば、第２透光板５７のＺ軸方向の一方側Ｚ１には、遮光板８０に起因する段差がない。従って、矢印Ａで示すように、図１に示す吸気ファン１５Ｂ等によって電気光学モジュール１０のＺ軸方向の他方側Ｚ２の面に沿って冷却空気の流れを形成した際、冷却空気は、第２透光板５７のＺ軸方向の一方側Ｚ１の面に沿ってＹ軸方向の他方側Ｙ２から一方側Ｙ１にスムーズに流れる。それ故、電気光学パネル４０で発生した熱を、第２透光板５７およびフレーム６０を介して冷却空気に逃がすことができる。
【００８４】
［実施の形態２の変形例２］
上記の実施の形態２、および実施の形態２の変形例１で説明した電気光学モジュール１０において、実施の形態１の変形例で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【００８５】
［実施の形態３］
図１２は、本発明の実施の形態３に係る電気光学モジュール１０の断面図であり、図１２（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【００８６】
図１２に示すように、本形態の電気光学モジュール１０でも、実施の形態１と同様、第１基板５１の第１透光板５６からの張出面５５、および第１透光板５６の側面５６１、５６２、５６３、５６４にはフレーム６０の角部６１０、６２０、６３０、６４０が対向し、それらの間には接着剤Ｐが介在している。また、壁部６１、６２、６３の内側面は、角部６１０、６２０、６３０を形成する部分が内側に張り出し、かかる張出部分からＺ軸方向の一方側Ｚ１に向けては直線状に延在している。このため、電気光学モジュール１０を組み立てる際、フレーム６０のＺ軸方向の一方側Ｚ１から、第１透光板５６側を先行させるようにして電気光学パネル４０をフレーム６０の内側に設けることができる。
【００８７】
また、本形態の電気光学モジュール１０でも、実施の形態１と同様、第２基板５２は、第１基板５１よりサイズが小さく、第１基板５１の第１面５１ａには、第２基板５２を全周で囲むように、第２基板５２からの張出面が形成されている。第２透光板５７は、第２基板５２よりサイズが小さく、第２基板５２の第２面５２ｂには、第２透光板５７を全周で囲むように、第２透光板５７からの張出面が形成されている。
【００８８】
本形態では、電気光学パネル４０（第１基板５１および第２基板５２）の側面や第２透光板５７の側面等からフレーム６０への放熱性を高めることを目的に、フレーム６０の内側には、電気光学パネル４０および第２透光板５７の周りに矩形枠状の放熱部材３０が配置されており、かかる放熱部材３０は、遮光板８０の電気光学パネル４０が位置する側の面に接合されている。本形態において、放熱部材３０は、アルミニウム、銅、鉄等の金属製部材であり、第１基板５１や第２基板５２より熱伝導率が高い。
【００８９】
ここで、放熱部材３０は、電気光学パネル４０および第２透光板５７の側面とフレーム６０の壁部６１との間に位置する壁部３１と、電気光学パネル４０および第２透光板５７の側面とフレーム６０の壁部６２との間に位置する壁部３２と、電気光学パネル４０および第２透光板５７の側面とフレーム６０の壁部６３との間に位置する壁部３３とを備えている。但し、Ｙ軸方向の一方側Ｙ１では、電気光学パネル４０の第１基板５１が大きく張り出している。このため、放熱部材３０のＹ軸方向の一方側Ｙ１に位置する部分は、電気光学パネル４０の第２基板５２および第２透光板５７に対してのみ、Ｙ軸方向の一方側Ｙ１で対向する壁部３４になっている。
【００９０】
かかる放熱部材３０において、フレーム６０の壁部６１、６２、６３に対向する壁部３１、３２、３３の外側面はＺ軸方向に直線状に延在している。これに対して、壁部３１、３２、３３の内側面は、電気光学パネル４０および第２透光板５７の外形形状に沿って屈曲した多段形状になっている。このため、壁部３１、３２、３３の内側面は、第１基板５１の側面５１１、５１２、５１３、第１基板５１の第１面５１ａの第２基板５２からの張出面、第２基板５２の側面５２１、５２２、５２３、第２基板５２の第２面５１ｂの第２透光板５７からの張出面、および第２透光板５７の側面５７１、５７２、５７３に対向している。また、壁部３１、３２、３３のＺ軸方向の他方側Ｚ２の端部はフレーム６０の角部６１０、６２０、６３０付近に対向している。かかる壁部３１、３２、３３と、フレーム６０、電気光学パネル４０および第２透光板５７との間には接着剤Ｐが介在している。
【００９１】
また、壁部３４の内側面は、第２基板５２および第２透光板５７の外形形状に沿って屈曲した段形状になっている。このため、壁部３４の内側面は、第２基板５２の側面５２４、第２基板５２の第２面５１ｂの第２透光板５７からの張出面、および第２透光板５７の側面５７４に対向している。また、壁部３４のＺ軸方向の他方側Ｚ２の端面は、第１基板５１の第１面５１ａ（張出部５１５）に対向している。かかる壁部３４と、第２基板５２および第２透光板５７との間には接着剤Ｐが介在している。
【００９２】
かかる構成によれば、実施の形態１と同様な効果を奏するとともに、第１基板５１、第２基板５２および第２透光板５７とフレーム６０との間に放熱部材３０が介在しているので、接着剤Ｐのみが介在する場合に比較して、電気光学パネル４０の熱を、放熱部材３０を介してフレーム６０に効率よく逃がすことができる。
【００９３】
特に、フレーム６０として、樹脂製部材の表面に金属層を設けた成形品を用いた場合や、金属材料の種類によって、放熱部材３０がフレーム６０より熱伝導率が高い場合、電気光学パネル４０の熱を放熱部材３０に効率よく逃がすことができる。それ故、放熱部材３０を用いることによって、電気光学パネル４０全体の温度ばらつきや温度上昇を低く抑えることができる。また、フレーム６０として肉薄のものを用いた場合等、放熱部材３０がフレーム６０より熱容量が大きい場合や、フレーム６０に肉薄部分がある場合には、電気光学パネル４０の熱を放熱部材３０に効率よく逃がすことができるので、放熱部材３０を用いることによって、電気光学パネル４０全体の温度ばらつきや温度上昇を低く抑えることができる。
【００９４】
また、Ｙ軸方向の一方側Ｙ１では、フレキシブル配線基板４０ｉが延在しているため、張出部５１５に対するＺ軸方向の一方側Ｚ１や、第２基板５２や第２透光板５７の近くにフレーム６０が存在していないが、本形態では、放熱部材３０の壁部３４が配置されているので、電気光学パネル４０の熱を、壁部３４を介してフレーム６０に逃がすことができる。より具体的には、放熱部材３０は、壁部３４と、壁部３４の一方端側から第２基板５２の側面５２１とフレーム６０との間で延在する壁部３１と、壁部３４の一方端側から第２基板５２の側面５２２とフレーム６０との間で延在する壁部３２と、壁部３４と対向する位置で第２基板５２とフレーム６０との間で延在する壁部３３とを備えている。従って、張出部５１５が位置する側でも、電気光学パネル４０の熱を、壁部３４を介してフレーム６０に逃がすことができる。また、放熱部材３０を平面視したとき、壁部３４の幅寸法は、壁部３１、３２の幅寸法より大であるので、張出部５１５が位置する側でも、電気光学パネル４０の熱を、壁部３４を介してフレーム６０に効率よく逃がすことができる。
【００９５】
かかる構成の電気光学モジュール１０の製造工程では、例えば、フレーム６０の角部６１０、６２０、６３０、６４０付近に接着剤を塗布した後、フレーム６０のＺ軸方向の一方側Ｚ１から、第１透光板５６側を先行させるようにして電気光学パネル４０をフレーム６０の内側に収容する。次に、第２透光板５７とフレーム６０との間から接着剤Ｐを塗布した後、放熱部材３０を固定した後の遮光板８０をフレーム６０と結合させる。
【００９６】
なお、本形態では、フレキシブル配線基板４０ｉと放熱部材３０の壁部３４とが対向し、張出部５１５においてフレキシブル配線基板４０ｉから張り出している部分と放熱部材３０の壁部３４とが対向している。このため、フレキシブル配線基板４０ｉを放熱部材３０と反対側に湾曲させた構成や、フレキシブル配線基板４０ｉと放熱部材３０の壁部３４との間にコーティング層等の絶縁材を配置して、フレキシブル配線基板４０ｉと放熱部材３０との短絡を防止することが好ましい。また、張出部５１５においてフレキシブル配線基板４０ｉから張り出している部分と放熱部材３０の壁部３４との間にコーティング層等の絶縁材を配置して、張出部５１５に形成されている配線等の導電層との短絡を防止することが好ましい。
【００９７】
［実施の形態３の変形例］
上記の実施の形態３で説明した電気光学モジュール１０において、実施の形態１の変形例で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【００９８】
［実施の形態４］
図１３は、本発明の実施の形態４に係る電気光学モジュール１０の断面図であり、図１３（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【００９９】
図１３に示すように、本形態の電気光学モジュール１０でも、実施の形態１と同様、第１基板５１の第１透光板５６からの張出面５５、および第１透光板５６の側面５６１、５６２、５６３、５６４にはフレーム６０の角部６１０、６２０、６３０、６４０が対向し、それらの間には接着剤Ｐが介在している。また、第２基板５２は、第１基板５１よりサイズが小さく、第１基板５１の第１面５１ａには、第２基板５２を全周で囲むように、第２基板５２からの張出面が形成されている。第２透光板５７は、第２基板５２よりサイズが小さく、第２基板５２の第２面５２ｂには、第２透光板５７を全周で囲むように、第２透光板５７からの張出面５７０が形成されている。
【０１００】
本形態では、実施の形態３と同様、電気光学パネル４０（第１基板５１および第２基板５２）の側面や第２透光板５７の側面等からフレーム６０への放熱性を高めることを目的に、電気光学パネル４０および第２透光板５７の周りに矩形枠状の放熱部材３０が配置されており、かかる放熱部材３０は、アルミニウム、銅、鉄等の金属製部材であり、第１基板５１や第２基板５２より熱伝導率が高い。
【０１０１】
ここで、フレーム６０は、電気光学モジュール１０のＺ軸方向の他方側Ｚ２に相当する部分のみに配置され、電気光学モジュール１０のＺ軸方向の一方側Ｚ１に相当する部分には放熱部材３０が配置されている。
【０１０２】
より具体的には、放熱部材３０は、フレーム６０の壁部６１の内側で壁部６１にＺ軸方向の一方側Ｚ１で重なる壁部３１と、フレーム６０の壁部６２の内側で壁部６２にＺ軸方向の一方側Ｚ１で重なる壁部３２と、フレーム６０の壁部６３の内側で壁部６３にＺ軸方向の一方側Ｚ１で重なる壁部３３とを備えており、壁部３１、３２、３３は、フレーム６０に対してＺ軸方向の一方側Ｚ１で張り出した状態にある。このため、壁部３３のＺ軸方向の一方側Ｚ１において、Ｙ軸方向の他方側Ｙ２の端部には、壁部６３のテーパー面６３７と連続したテーパー面を構成するテーパー面３３７が形成されている。従って、図１に示す吸気ファン１５Ｂ等によって電気光学モジュール１０に冷却空気を供給した際、電気光学モジュール１０のＺ軸方向の一方側Ｚ１に冷却空気が効率よく導かれる。
【０１０３】
また、壁部３１、３２、３３の内側面は、電気光学パネル４０および第２透光板５７の外形形状に沿って屈曲した多段形状になっている。このため、壁部３１、３２、３３の内側面は、第１基板５１の側面５１１、５１２、５１３、第１基板５１の第１面５１ａの第２基板５２からの張出面、第２基板５２の側面５２１、５２２、５２３、第２基板５２の第２面５１ｂの第２透光板５７からの張出面、および第２透光板５７の側面５７１、５７２、５７３に対向している。かかる壁部３１、３２、３３と、フレーム６０、電気光学パネル４０および第２透光板５７との間には接着剤Ｐが介在している。
【０１０４】
但し、Ｙ軸方向の一方側Ｙ１では、電気光学パネル４０の第１基板５１が大きく張り出しているため、放熱部材３０のＹ軸方向の一方側Ｙ１に位置する部分は、電気光学パネル４０の第２基板５２および第２透光板５７に対してのみ、Ｙ軸方向の一方側Ｙ１で対向する壁部３４になっている。かかる壁部３４の内側面は、第２基板５２および第２透光板５７の外形形状に沿って屈曲した段形状になっている。このため、壁部３４の内側面は、第２基板５２の側面５２４、第２基板５２の第２面５１ｂの第２透光板５７からの張出面、および第２透光板５７の側面５７４に対向している。また、壁部３４のＺ軸方向の他方側Ｚ２の端面は、第１基板５１の第１面５１ａ（張出部５１５）に対向している。かかる壁部３４と、第２基板５２および第２透光板５７との間には接着剤Ｐが介在している。
【０１０５】
かかる構成によれば、実施の形態１と同様な効果を奏するとともに、第１基板５１、第２基板５２および第２透光板５７の周りに放熱部材３０が配置されているので、電気光学パネル４０の熱を放熱部材３０に効率よく逃がすことができる。また、Ｙ軸方向の一方側Ｙ１では、フレキシブル配線基板４０ｉが延在しているため、張出部５１５に対するＺ軸方向の一方側Ｚ１や、第２基板５２や第２透光板５７の近くにフレーム６０が存在していないが、本形態では、放熱部材３０の壁部３４が配置されているので、電気光学パネル４０の熱を、壁部３４を介してフレーム６０に逃がすことができる。
【０１０６】
かかる構成の電気光学モジュール１０の製造工程では、放熱部材３０を第２透光板５７の位置決め部材として用いることができる。より具体的には、電気光学パネル４０に第２透光板５７を貼付する際、放熱部材３０の内側に電気光学パネル４０を配置し、その後、Ｚ軸方向の一方側Ｚ１から放熱部材３０の開口部を経由して第２透光板５７を第２基板５２の第２面５２ｂに重ね、第２透光板５７と第２基板５２の第２面５２ｂとを接着する。その際、予め、放熱部材３０の内面に接着剤Ｐを塗布しておけば、電気光学パネル４０や第２透光板５７を放熱部材３０と接着固定することができる。
【０１０７】
次に、フレーム６０の角部６１０、６２０、６３０、６４０付近や内面に接着剤Ｐを塗布した後、第１透光板５６、第２透光板５７および放熱部材３０が接着された電気光学パネル４０をフレーム６０の内側に収容した後、遮光板８０をフレーム６０と結合させ、しかる後に、接着剤Ｐを硬化させれば、電気光学モジュール１０が完成する。
【０１０８】
また、フレーム６０の角部６１０、６２０、６３０、６４０付近や内面に接着剤Ｐを塗布した後、第１透光板５６が接着された電気光学パネル４０、および放熱部材３０をフレーム６０の内側に収容した後、Ｚ軸方向の一方側Ｚ１から放熱部材３０の開口部を経由して第２透光板５７を第２基板５２の第２面５２ｂに重ね、第２透光板５７と第２基板５２の第２面５２ｂとを接着してもよい。
【０１０９】
なお、本形態では、フレキシブル配線基板４０ｉと放熱部材３０とが対向している。このため、フレキシブル配線基板４０ｉを放熱部材３０と反対側に湾曲させた構成や、フレキシブル配線基板４０ｉと放熱部材３０との間にコーティング層等の絶縁材を配置して、フレキシブル配線基板４０ｉと放熱部材３０との短絡を防止することが好ましい。
【０１１０】
［実施の形態４の変形例］
上記の実施の形態４で説明した電気光学モジュール１０において、実施の形態１の変形例で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１１１】
［実施の形態５］
図１４は、本発明の実施の形態５に係る電気光学モジュール１０の断面図であり、図１４（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１１２】
図１４に示すように、本形態の電気光学モジュール１０でも、実施の形態１と同様、第１基板５１の第１透光板５６からの張出面５５、および第１透光板５６の側面５６１、５６２、５６３、５６４にはフレーム６０の角部６１０、６２０、６３０、６４０が対向し、それらの間には接着剤Ｐが介在している。
【０１１３】
また、本形態では、実施の形態３と同様、フレーム６０の内側に矩形枠状の放熱部材３０が配置されており、放熱部材３０は、電気光学パネル４０とフレーム６０の壁部６１との間に位置する壁部３１と、電気光学パネル４０とフレーム６０の壁部６２との間に位置する壁部３２と、電気光学パネル４０とフレーム６０の壁部６３との間に位置する壁部３３とを備えている。ここで、第２透光板５７は、実施の形態２と同様、平面視で第２基板５２よりサイズが大きな四角形状であり、第２透光板５７の第２基板５２側の面には、第２基板５２を全周で囲むように、第２基板５２からの張出面５７０が形成されている。また、第２透光板５７の第２基板５２側の面には、平面視で画像表示領域４０ａと重ならずに第２基板５２と重なる領域、および張出面５７０に遮光層５７９が連続して一体に形成されている。
【０１１４】
かかる構成に対応して、フレーム６０の壁部６１、６２、６３には、第２透光板５７の側面５７１、５７２、５７３、および第２透光板５７の第２基板５２からの張出面５７０に沿って屈曲する入隅状の角部６１８、６２８、６３８が形成されている。このため、フレーム６０は、角部６１８、６２８、６３８によって、第２透光板５７の側面５７１、５７２、５７３、および第２透光板５７の第２基板５２からの張出面５７０に形成された遮光層５７９に対向している。また、フレーム６０と第２透光板５７の側面５７１、５７２、５７３、５７４との間、およびフレーム６０と第２透光板５７の張出面５７０に形成された遮光層５７９との間には接着剤Ｐが介在しており、空気層が介在していない。また、放熱部材３０も、第２透光板５７の張出面５７０に形成された遮光層５７９に対向し、かつ、放熱部材３０と遮光層５７９との間には接着剤Ｐが介在し、空気層が介在していない。このため、電気光学パネル４０の熱を、遮光層５７９を介して放熱部材３０およびフレーム６０に逃がすことができる。
【０１１５】
また、壁部３１、３２、３３の内側面は、電気光学パネル４０の外形形状に沿って屈曲した段部が形成されている。このため、壁部３１、３２、３３の内側面は、第１基板５１の側面５１１、５１２、５１３、第１基板５１の第１面５１ａの第２基板５２からの張出面、および第２基板５２の側面５２１、５２２、５２３に対向している。また、壁部３１、３２、３３のＺ軸方向の他方側Ｚ２の端部はフレーム６０の角部６１０、６２０、６３０付近に対向し、Ｚ軸方向の一方側Ｚ１の端面は、第２透光板５７の第２基板５２からの張出面５７０に対向している。かかる壁部３１、３２、３３と、フレーム６０、電気光学パネル４０および第２透光板５７との間には接着剤Ｐが介在している。
【０１１６】
但し、Ｙ軸方向の一方側Ｙ１では、電気光学パネル４０の第１基板５１が大きく張り出している。このため、放熱部材３０のＹ軸方向の一方側Ｙ１に位置する部分は、電気光学パネル４０の第２基板５２にＹ軸方向の一方側Ｙ１で対向する壁部３４になっている。かかる壁部３４は、Ｚ軸方向の一方側Ｚ１の端面が第２透光板５７の第２基板５２からの張出面５７０に対向し、Ｚ軸方向の他方側Ｚ２の端面は、第１基板５１の張出部５１５に対向している。また、壁部３４と、第２基板５２、および第２透光板５７の第２基板５２からの張出面５７０との間には接着剤Ｐが介在している。
【０１１７】
かかる構成によれば、実施の形態１と同様な効果を奏するとともに、第１基板５１、第２基板５２および第２透光板５７とフレーム６０との間に放熱部材３０が介在しているので、接着剤Ｐのみが介在する場合に比較して、電気光学パネル４０の熱を、放熱部材３０を介してフレーム６０に効率よく逃がすことができる。また、Ｙ軸方向の一方側Ｙ１では、フレキシブル配線基板４０ｉが延在しているため、張出部５１５に対するＺ軸方向の一方側Ｚ１や、第２基板５２や第２透光板５７の近くにフレーム６０が存在していないが、本形態では、放熱部材３０の壁部３４が配置されているので、電気光学パネル４０の熱を、壁部３４を介してフレーム６０に逃がすことができる。
【０１１８】
［実施の形態５の変形例１］
上記の実施の形態５で説明した電気光学モジュール１０において、実施の形態１の変形例で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１１９】
［実施の形態５の変形例２］
上記の実施の形態５、および実施の形態５の変形例１で説明した電気光学モジュール１０において、実施の形態２の変形例１で説明したように、第２透光板５７の電気光学パネル４０側の面に見切り用の遮光層５７９を形成し、第２透光板５７側に遮光板８０を設けない構成を採用してもよい。かかる構成によれば、第２透光板５７のＺ軸方向の一方側Ｚ１には、遮光板８０に起因する段差がないので、冷却空気は、Ｙ軸方向の他方側Ｙ２から一方側Ｙ１にスムーズに流れる。
【０１２０】
［実施の形態６］
図１５は、本発明の実施の形態６に係る電気光学モジュール１０の断面図であり、図１５（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１２１】
図１５に示すように、本形態の電気光学モジュール１０でも、実施の形態１と同様、第１基板５１の第１透光板５６からの張出面５５、および第１透光板５６の側面５６１、５６２、５６３、５６４にはフレーム６０の角部６１０、６２０、６３０、６４０が対向し、それらの間には接着剤Ｐが介在している。
【０１２２】
また、本形態では、実施の形態４と同様、フレーム６０の内側には、フレーム６０に対してＺ軸方向の一方側Ｚ１で重なる矩形枠状の放熱部材３０が配置されている。かかる放熱部材３０は、電気光学パネル４０とフレーム６０の壁部６１との間で壁部６１に重なる壁部３１と、電気光学パネル４０とフレーム６０の壁部６２との間で壁部６２に重なる壁部３２と、電気光学パネル４０とフレーム６０の壁部６３との間で壁部６３に重なる壁部３３とを備えている。ここで、第２透光板５７は、実施の形態２と同様、平面視で第２基板５２よりサイズが大きな四角形状であり、第２透光板５７の第２基板５２側の面には、第２基板５２を全周で囲むように、第２基板５２からの張出面５７０が形成されている。また、第２透光板５７の第２基板５２側の面には、平面視で画像表示領域４０ａと重ならずに第２基板５２と重なる領域、および張出面５７０に遮光層５７９が連続して一体に形成されている。
【０１２３】
かかる構成に対応して、壁部３１、３２、３３の内側面は、電気光学パネル４０および第２透光板５７の外形形状に沿って屈曲した多段形状になっている。このため、壁部３１、３２、３３の内側面は、第１基板５１の側面５１１、５１２、５１３、第１基板５１の第１面５１ａの第２基板５２からの張出面、第２基板５２の側面５２１、５２２、５２３、第２基板５２の第２面５１ｂの第２透光板５７からの張出面、第２透光板５７の第２基板５２からの張出面５７０（遮光層５７９）、および第２透光板５７の側面５７１、５７２、５７３に対向している。かかる壁部３１、３２、３３と、フレーム６０、電気光学パネル４０および第２透光板５７との間には接着剤Ｐが介在している。
【０１２４】
但し、Ｙ軸方向の一方側Ｙ１では、電気光学パネル４０の第１基板５１が大きく張り出しているため、放熱部材３０のＹ軸方向の一方側Ｙ１に位置する部分は、第２基板５２の側面５２４、第２透光板５７の第２基板５２からの張出面５７０、および第２透光板５７の側面５７４に対向している。かかる壁部３４と、フレーム６０、第２基板５２および第２透光板５７との間には接着剤Ｐが介在している。
【０１２５】
かかる構成によれば、実施の形態１と同様な効果を奏するとともに、第１基板５１、第２基板５２および第２透光板５７の周りに放熱部材３０が配置されているので、電気光学パネル４０の熱を放熱部材３０に効率よく逃がすことができる。特に、放熱部材３０は、第２透光板５７の張出面５７０に形成された遮光層５７９に対向し、かつ、放熱部材３０と遮光層５７９との間には接着剤Ｐが介在し、空気層が介在していない。このため、電気光学パネル４０の熱を、遮光層５７９を介して放熱部材３０に逃がすことができる。また、Ｙ軸方向の一方側Ｙ１では、フレキシブル配線基板４０ｉが延在しているため、張出部５１５に対するＺ軸方向の一方側Ｚ１や、第２基板５２や第２透光板５７の近くにフレーム６０が存在していないが、本形態では、放熱部材３０の壁部３４が配置されているので、電気光学パネル４０の熱を、壁部３４を介してフレーム６０に逃がすことができる。
【０１２６】
かかる構成の電気光学モジュール１０の製造工程では、放熱部材３０を第２透光板５７の位置決め部材として用いることができる。より具体的には、電気光学パネル４０に第２透光板５７を貼付する際、例えば、放熱部材３０の内側に電気光学パネル４０を配置し、その後、Ｚ軸方向の一方側Ｚ１から放熱部材３０の開口部を経由して第２透光板５７を第２基板５２の第２面５２ｂに重ね、第２透光板５７と第２基板５２の第２面５２ｂとを接着する。その際、予め、放熱部材３０の内面に接着剤Ｐを塗布しておけば、電気光学パネル４０や第２透光板５７を放熱部材３０と接着固定することができる。
【０１２７】
従って、フレーム６０の角部６１０、６２０、６３０、６４０付近や内面に接着剤Ｐを塗布した後、第１透光板５６、電気光学パネル４０、第２透光板５７および放熱部材３０をフレーム６０の内側に収容した後、遮光板８０をフレーム６０と結合させ、しかる後に、接着剤Ｐを硬化させれば、電気光学モジュール１０が完成する。
【０１２８】
［実施の形態６の変形例１］
上記の実施の形態６で説明した電気光学モジュール１０において、実施の形態１の変形例で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１２９】
［実施の形態６の変形例２］
上記の実施の形態６、および実施の形態６の変形例１で説明した電気光学モジュール１０において、実施の形態２の変形例１で説明したように、第２透光板５７の電気光学パネル４０側の面に見切り用の遮光層５７９を形成し、第２透光板５７側に遮光板８０を設けない構成を採用してもよい。かかる構成によれば、第２透光板５７のＺ軸方向の一方側Ｚ１には、遮光板８０に起因する段差がないので、冷却空気は、Ｙ軸方向の他方側Ｙ２から一方側Ｙ１にスムーズに流れる。
【０１３０】
［他の実施の形態］
上記実施の形態では、第１基板５１の第１透光板５６からの張出面５５の幅寸法、および張出面５５とフレーム６０との重なり面積を、以下の関係
第３張出面５５ｃ、５５ｄ≒第２張出面５５ｂ＜第１張出面５５ａ
としたが、以下の関係
第３張出面５５ｃ、５５ｄ＜第２張出面５５ｂ＜第１張出面５５ａ
とすることが好ましい。
【０１３１】
電気光学モジュール１０に冷却気体を供給する場合、フレキシブル配線基板４０ｉが接続された張出部５１５が位置する側とは反対側が風上とされるので、かかる風上側での第１基板５１の張出面５５とフレーム６０との重なり幅を大にすれば、放熱効率が高まる。従って、第１張出面５５ａと第２張出面５５ｂとの間に位置する第３張出面５５ｃ、５５ｄとフレーム６０との重なり幅を狭くしても、電気光学モジュール１０全体からみれば十分な放熱性を確保することができる。それ故、第３張出面５５ｃ、５５ｄとフレーム６０との重なり幅を狭くした分、電気光学モジュール１０の幅寸法を縮小することができる。
【０１３２】
また、上記のいずれの実施の形態でも、フレーム６０の壁部６１、６２、６３、６４のＺ軸方向の他方側Ｚ２の面にＹ軸方向（冷却気体の流れる方向）に延在するリブを設けることにより、フレーム６０の表面積を拡張し、フレーム６０の放熱性を高めてもよい。
【０１３３】
上記実施の形態では、透過型の電気光学パネル４０を備えた電気光学モジュール１０を例示したが、反射型の電気光学パネル４０を備えた電気光学モジュール１０に本発明を適用してもよい。
【０１３４】
上記実施の形態では、投射型表示装置として投射像を観察する方向から投射を行う前面投射型表示装置を例示したが、投射像を観察する方向とは反対側から投射を行う背面投射型表示装置に用いる投射型表示装置に本発明を適用してもよい。
【０１３５】
上記実施の形態では、電気光学パネルとして液晶パネルを例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学モジュールに本発明を適用してもよい。
【０１３６】
本発明を適用した電気光学モジュールについては、上記の電子機器（投射型表示装置）の他にも、ヘッドマウントディスプレイ、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【０１３７】
１・・投射型表示装置、１０・・電気光学モジュール、３０・・放熱部材、４０・・電気光学パネル（液晶パネル）、４０ａ・・画像表示領域、５１・・第１基板（素子基板）、５２・・第２基板（対向基板）、５５・・第１基板の張出面、５５ａ・・第１張出面、５５ｂ・・第２張出面、５５ｃ、５５ｄ・・第３張出面、５６・・第１透光板、５７・・第２透光板、６０・・フレーム、８０・・遮光板、４５０・・電気光学物質層（液晶層）、６１０、６２０、６３０、６４０・・角部、５６９、５７９・・遮光層、５７０・・第２透光板の第２基板からの張出面、Ｐ・・接着剤
【図１】
2015106009.tif 000003
【図２】
2015106009.tif 000004
【図３】
2015106009.tif 000005
【図４】
2015106009.tif 000006
【図５】
2015106009.tif 000007
【図６】
2015106009.tif 000008
【図８】
2015106009.tif 000009
【図７】
2015106009.tif 000010
【図９】
2015106009.tif 000011
【図１０】
2015106009.tif 000012
【図１１】
2015106009.tif 000013
【図１２】
2015106009.tif 000014
【図１３】
2015106009.tif 000015
【図１４】
2015106009.tif 000016
【図１５】
2015106009.tif 000017